(57)【特許請求の範囲】
【請求項１】
紙葉類識別装置の入口に挿入される紙葉を入口センサにより検出したとき、搬送装置を駆動して、搬送通路に沿って紙葉を紙葉類識別装置の内側に搬送する過程と、
搬送される紙葉の光学的特徴又は磁気的特徴を紙葉センサにより検出する過程と、
紙葉センサの出力信号により判定制御回路が紙葉を認承カードと判定した場合、判定制御回路を識別モードから設定モードに切換えた後、搬送装置を逆転して、認承カードを入口に返却する過程と、
判定制御回路が設定モードにあり、紙葉センサの出力信号により判定制御回路が紙葉を設定カードと判定した場合、紙葉センサにより設定カードの設定情報を読み取り、読み取った内容を判定制御回路に接続された設定記憶手段に格納し、判定制御回路を設定モードから識別モードに切換えた後、搬送装置を逆転して、設定カードを入口に返却する過程と、
判定制御回路が識別モードにあり、紙葉センサの出力信号により判定制御回路が紙葉を真紙幣と判定したとき、搬送装置を更に正転して紙葉を出口に搬送する過程と、
判定制御回路が識別モードにあり、紙葉センサの出力信号により紙葉が認承カード若しくは真紙幣でないと判定した場合又は判定制御回路が設定モードにあり、紙葉センサの出力信号により判定制御回路が紙葉を設定カードでないと判定した場合、搬送装置を駆動して紙葉を入口に返却する過程と、
判定制御回路が識別モードにあり、設定記憶手段に記憶された設定情報に従って判定制御回路を作動する過程とを含むことを特徴とする紙葉類識別方法。
【請求項２】
紙葉センサにより設定カードから読み取り紙葉類識別装置内の設定記憶手段に格納する設定情報は、紙葉類識別装置が判定すべき紙葉の光学的特徴又は磁気的特徴と、紙葉の種類と、紙葉類識別装置の動作シーケンスを決定するソフトウエアと、紙葉類識別装置における紙葉の受取条件と、紙葉センサの調整条件と、紙葉類識別装置のメンテナンスに関する情報と、紙葉類識別装置を搭載する主装置の識別番号とのいずれかを含む請求項１に記載の紙葉類識別方法。
【請求項３】
設定モードを表示する信号を警報器によって発生する過程を含む請求項１に記載の紙葉類識別方法。
【請求項４】
入口に挿入される紙葉を検出する入口センサと、
入口センサの出力に応答して搬送通路に沿って紙葉を搬送する搬送装置と、
搬送される紙葉の光学的特徴又は磁気的特徴を検出して出力信号を発生する紙葉センサと、
紙葉センサの出力信号から紙葉の真偽を判定して、搬送装置を制御する判定制御回路とを備え、
判定制御回路が搬送された紙葉を認承カードと判定した場合、判定制御回路を識別モードから設定モードに切換えた後、搬送装置を逆転して認承カードを入口に戻し、
判定制御回路が設定モードにあり、判定制御回路が搬送された紙葉を設定カードと判定した場合、紙葉センサにより設定カードの設定情報を読み取り、判定制御回路内の解析プログラムにより設定情報を解析して、判定制御回路に電気的に接続された設定記憶手段に格納し、判定制御回路を設定モードから識別モードに切換えた後、搬送装置を逆転して、設定カードを入口に返却し、
判定制御回路が識別モードにあり、判定制御回路が搬送された紙葉を真紙幣と判定したとき、搬送装置を更に正転して紙葉を出口に搬送し、
判定制御回路が識別モードにあり、紙葉が認承カード若しくは真紙幣でないと判定した場合又は判定制御回路が設定モードにあり、判定制御回路が搬送された紙葉を設定カードでないと判定した場合、搬送装置を駆動して紙葉を入口に返却し、
判定制御回路内に設けられた実行プログラムにより、判定制御回路が識別モードにあり、設定記憶手段に記憶された設定情報に従って判定制御回路を作動することを特徴とする紙葉類識別装置。
【請求項５】
入口に挿入される認承カードは、各設定情報の種類に個別に対応し、設定カードは、各認承カードに対応する請求項４に記載の紙葉類識別装置。
【請求項６】
紙葉センサにより設定カードから読み取り、設定記憶手段に格納する設定情報は、紙葉類識別装置が判定すべき紙葉の光学的特徴又は磁気的特徴と、紙葉の種類と、紙葉類識別装置の動作シーケンスを決定するソフトウエアと、紙葉類識別装置における紙葉の受取条件と、紙葉センサの調整条件と、紙葉類識別装置のメンテナンスに関する情報と、紙葉類識別装置を搭載する主装置の識別番号とのいずれかを含む請求項４に記載の紙葉類識別装置。
【請求項７】
入口付近に設けられかつ設定モードを表示する信号を発生する警報器を有する請求項４に記載の紙葉類識別装置。
【請求項８】
紙葉類の識別データ記憶手段は、ＲＯＭであり、設定記憶手段は、Ｅ２ＰＲＯＭである請求項４に記載の紙葉類識別装置。
【請求項９】
判定制御回路と電気的に接続される設定記憶手段は、紙葉類識別装置、移送装置又は紙葉類収納庫のいずれかに設けられる請求項４に記載の紙葉類識別装置。
【発明の詳細な説明】
【０００１】
【発明の属する技術分野】
この発明は、紙葉類識別技術、特に紙葉類識別装置の新規動作内容を容易に設定できる紙葉類識別方法及び紙葉類識別装置に関する。
【０００２】
【従来の技術】
紙幣鑑別装置は、自動販売機、自動両替機及びゲーム機等の種々の省力機器に使用され、紙幣を挿入する入口と、入口に設けられかつ紙幣の挿入を検出する入口センサと、入口から挿入された紙幣を搬送通路に沿って搬送する搬送装置と、搬送通路に隣接して設けられた鑑別センサと、入口センサ及び鑑別センサに接続されかつ搬送装置のモータを制御する鑑別制御回路とを備えている。鑑別センサは、紙幣の明暗パターン又は透過光パターンを形成する光学的特徴を検出する光学センサ又は紙幣に印刷されたインキの成分によって磁気パターンを形成する磁気的特徴を検出する磁気センサにより構成される。
【０００３】
入口から紙幣が投入されると、入口センサは、紙幣の投入を検出して鑑別制御回路に検出信号を送出する。これにより、鑑別制御回路は、搬送装置のモータを駆動して紙幣を搬送通路に沿って紙幣鑑別装置の内部に取り込む。紙幣が搬送通路を通過する際に、鑑別センサは、紙幣の光学的特徴及び磁気的特徴を検出して、検出信号を鑑別制御回路に送出し、鑑別制御回路は、入口に投入された紙幣の真偽を判断する。鑑別制御回路は、投入された紙幣を真正紙幣と判断したときに商品払出又はゲーム開始等の次のプロセスに移行するが、真正紙幣と判断できないときに、搬送装置のモータを逆転して紙幣を入口に返却する。
【０００４】
【発明が解決しようとする課題】
ところで、紙幣識別装置では、判別する紙葉類に関する情報の変更及び動作シーケンスの変更、鑑別センサの調整等を行うため、設定情報を判別制御回路の記憶手段にダウンロードする必要がある。また、カジノ等の遊技場で使用される紙幣識別装置は、クーポンやスクリプトに記録された識別番号、店舗のコード番号、接続する遊技機器の番号等の情報を読み出し、書き込み又は変更する必要がある。紙葉類識別装置が判定すべき紙葉の光学的特徴又は磁気的特徴、紙葉の種類、紙葉類識別装置の動作シーケンスを決定するソフトウエア、紙葉類識別装置のメンテナンスに関する情報、紙葉類識別装置に付与すべき識別番号等の設定情報を紙葉類識別装置内にダウンロードする場合、従来では紙幣識別装置の扉を開けて、親機であるパーソナルコンピュータ又は紙幣鑑別装置と電気的に接続してダウンロードを行っていた。電気的な接続を必要とする前記の方法は、ダウンロードに多くの作業と手間を要するのみならず、紙幣鑑別装置の内部を外部へ開放するため安全面でも問題がある。
【０００５】
そこで、この発明は紙葉類識別装置に設定情報を容易に搭載できる紙葉類識別方法及び紙葉類識別装置を提供することを目的とする。
【０００６】
【課題を解決するための手段】
本発明による紙葉類識別方法は、紙葉類識別装置(10)の入口(13)に挿入される紙葉を入口センサ(40)により検出したとき、搬送装置(15)を駆動して、搬送通路(12)に沿って紙葉を紙葉類識別装置(10)の内側に搬送する過程と、搬送される紙葉の光学的特徴又は磁気的特徴を紙葉センサ(16)により検出する過程と、紙葉センサ(16)の出力信号により判定制御回路(50)が紙葉を認承カードと判定した場合、判定制御回路(50)を識別モードから設定モードに切換えた後、搬送装置(15)を逆転して、認承カードを入口(13)に返却する過程と、判定制御回路(50)が設定モードにあり、紙葉センサ(16)の出力信号により判定制御回路(50)が紙葉を設定カードと判定した場合、紙葉センサ(16)により設定カードの設定情報を読み取り、読み取った内容を判定制御回路(50)に接続された設定記憶手段(53)に格納し、判定制御回路(50)を設定モードから識別モードに切換えた後、搬送装置(15)を逆転して、設定カードを入口(13)に返却する過程と、判定制御回路(50)が識別モードにあり、紙葉センサ(16)の出力信号により判定制御回路(50)が紙葉を真紙幣と判定したとき、搬送装置(15)を更に正転して紙葉を出口(14)に搬送する過程と、判定制御回路(50)が識別モードにあり、紙葉センサ(16)の出力信号により紙葉が認承カード若しくは真紙幣でないと判定した場合又は判定制御回路(50)が設定モードにあり、紙葉センサ(16)の出力信号により判定制御回路(50)が紙葉を設定カードでないと判定した場合、搬送装置(15)を駆動して紙葉を入口(13)に返却する過程と、判定制御回路(50)が識別モードにあり、設定記憶手段(53)に記憶された設定情報に従って判定制御回路(50)を作動する過程とを含む。予め準備した認承カード及び設定カードを紙葉類識別装置(10)の入口(13)に挿入するのみで紙葉類識別装置(10)内の設定記憶手段(53)に設定情報を容易に書き込むことができ、紙葉類識別装置(53)は、その後、設定情報に従って作動される。また、設定を変更する際に、紙葉類識別装置(10)の扉を開ける必要がなく、設定情報を紙葉類識別装置(10)に短時間で搭載することができる。
【０００７】
この発明の実施の形態では、紙葉センサ(16)により設定カードから読み取り紙葉類識別装置(10)内の設定記憶手段(53)に格納する設定情報は、紙葉類識別装置(10)が判定すべき紙葉の光学的特徴又は磁気的特徴と、紙葉の種類と、紙葉類識別装置(10)の動作シーケンスを決定するソフトウエアと、紙葉類識別装置(10)における紙葉の受取条件と、紙葉センサ(16)の調整条件と、紙葉類識別装置(10)のメンテナンスに関する情報と、紙葉類識別装置(10)を搭載する主装置の識別番号とのいずれかを含む。設定モードを表示する信号を警報器(54)によって発生する過程を含んでもよい。
【０００８】
この発明による紙葉類識別装置は、入口(13)に挿入される紙葉を検出する入口センサ(40)と、入口センサ(40)の出力に応答して搬送通路(12)に沿って紙葉を搬送する搬送装置(15)と、搬送される紙葉の光学的特徴又は磁気的特徴を検出して出力信号を発生する紙葉センサ(16)と、紙葉センサ(16)の出力信号から紙葉の真偽を判定して、搬送装置(15)を制御する判定制御回路(50)とを備えている。判定制御回路(50)が搬送された紙葉を認承カードと判定した場合、判定制御回路(50)を識別モードから設定モードに切換えた後、搬送装置(15)を逆転して認承カードを入口(13)に戻す。判定制御回路(50)が設定モードにあり、判定制御回路(50)が搬送された紙葉を設定カードと判定した場合、紙葉センサ(16)により設定カードの設定情報を読み取り、判定制御回路(50)内の解析プログラムにより設定情報を解析して、判定制御回路(50)に電気的に接続された設定記憶手段(53)に格納し、判定制御回路(50)を設定モードから識別モードに切換えた後、搬送装置(15)を逆転して、設定カードを入口(13)に返却する。判定制御回路(50)が識別モードにあり、判定制御回路(50)が搬送された紙葉を真紙幣と判定したとき、搬送装置(15)を更に正転して紙葉を出口(14)に搬送する。判定制御回路(50)が識別モードにあり、紙葉が認承カード若しくは真紙幣でないと判定した場合又は判定制御回路(50)が設定モードにあり、判定制御回路(50)が搬送された紙葉を設定カードでないと判定した場合、搬送装置(15)を駆動して紙葉を入口(13)に返却する。判定制御回路(50)内に設けられた実行プログラムにより、判定制御回路(50)が識別モードにあり、設定記憶手段(53)に記憶された設定情報に従って判定制御回路(50)を作動する。
【０００９】
この発明の実施の形態では、入口(13)に挿入される認承カードは、各設定情報の種類に個別に対応し、設定カードは、各認承カードに対応する。紙葉センサ(16)により設定カードから読み取り、設定記憶手段に格納する設定情報は、紙葉類識別装置(10)が判定すべき紙葉の光学的特徴又は磁気的特徴と、紙葉の種類と、紙葉類識別装置(10)の動作シーケンスを決定するソフトウエアと、紙葉類識別装置(10)における紙葉の受取条件と、紙葉センサ(16)の調整条件と、紙葉類識別装置(10)のメンテナンスに関する情報と、紙葉類識別装置(10)を搭載する主装置の識別番号とのいずれかを含む。入口(13)付近に設けられかつ設定モードを表示する信号を発生する警報器(54)を有する。例えば、紙葉類の識別データ記憶手段(52)は、ＲＯＭ(52)であり、設定記憶手段(53)は、Ｅ２ＰＲＯＭ(53)である。判定制御回路(50)と電気的に接続される設定記憶手段(53)は、紙葉類識別装置(10)、移送装置(24)又は紙葉類収納庫のいずれかに設けられる。
【００１０】
【発明の実施の形態】
以下、紙幣鑑別装置に適用したこの発明による紙葉類識別方法及び紙葉類識別装置の実施の形態を図１〜図５について説明する。
【００１１】
図１に示す通り、この発明による紙幣鑑別装置１０は、ケース１１と、ケース１１内に形成されかつ紙幣が通過する搬送通路１２と、搬送通路１２の一端に設けられた入口１３から挿入された紙幣を搬送通路１２に沿って搬送通路１２の他端に設けられた出口１４に搬送する搬送装置１５と、搬送通路１２に隣接して配置された紙葉センサ１６とを備えている。紙葉センサ１６は、識別ユニット２０に設けられ、ホトカプラ等の光学センサ４１と、磁気ヘッド等の磁気センサ４２とを有する。また、識別ユニット２０の入口１３に設けられた入口センサ４０は、入口１３に挿入された紙幣の通過を検出して検出信号を発生する。搬送通路１２の出口１４に設けられた出口センサ４５は、紙幣の通過を検出して、検出信号を発生する。搬送装置１５は、一対のプーリ２１、２２と、搬送モータ３８に作動連結されたプーリ２２と、プーリ２１、２２に捲回されたベルト２３とを有し、入口１３に挿入された紙幣を出口１４に向かって搬送する。
【００１２】
識別ユニット２０の出口１４から排出される紙幣をスタッカ装置２５に搬送する移送装置２４は、識別ユニット２０の搬送通路１２と一致する搬送通路２６と、搬送通路２６に隣接して設けられた移送プーリ２７、２８、２９、３０及び３１と、移送プーリ２７〜３１に捲回されたベルト４７とを有する。３つの移送プーリ２７〜２９の上端は、ほぼ同一平面上に配置されるが、移送プーリ３１は、搬送通路２６の屈曲部２６ａの内側に配置され、移送プーリ２７、２８にはそれぞれ対向して押圧ローラ３２、３３が配置される。搬送通路２６は、屈曲部２６ａにおいてスタッカ装置２５の図示しない入口に接続される出口２６ｂに向かって上方に偏向され、搬送通路２６を挟んで設けられた移送プーリ３１はベルト４７を搬送通路２６の屈曲部２６ａに沿って駆動させる。移送モータ３４の出力軸に接続されたピニオン３５は中間歯車３６を介して移送プーリ３０と一体に回転する最終歯車３７に接続され、移送モータ３４によって移送プーリ３０が回転されるから、ベルト４７は移送プーリ３０によって駆動される。
【００１３】
図２は認承カードの実施の形態を示し、図３は設定カードの実施の形態を示し、認承カードと設定カードは一対で使用される。図２に示すように、認承カードの種類をコード化するため、認承カードの表面には４カ所の磁気コードが設けられ、裏面にはバーコードが設けられる。図３に示す設定カードは、変更すべき設定項目に該当する箇所を鉛筆などで塗り潰して設定項目を選択するマークシートである。
【００１４】
図４は紙幣鑑別装置１０に使用する電気回路のブロック図を示す。該電気回路は、紙葉センサ１６の出力信号から紙幣の真偽を判定すると共に、搬送装置１５を制御する判定制御回路５０を有し、判定制御回路５０の各入力端子には、入口１３に挿入される紙幣を検出する入口センサ４０と、搬送される紙幣の光学的特徴を検出する光学センサ４１と、搬送される紙幣の磁気的特徴を検出する磁気センサ４２が接続される。判定制御回路５０の各出力端子には、識別ユニット２０内に設けられかつ搬送通路１２に沿って紙幣を搬送する搬送モータ３８と、移送装置２４内に設けられかつ紙幣を搬送通路２６に沿って出口２６ｂへと移送する移送モータ３４と、入口１３付近に設けられかつ設定モードの時にする警報器としての発光ダイオード５４とを有する。また、異なる複数種の紙幣の識別データを記憶する識別データ記憶手段としてのＲＯＭ（読み取り専用メモリ）５２と、設定カードから読み出した設定情報を格納する設定記憶手段としてのＥ２ＰＲＯＭ５３とを備えている。Ｅ２ＰＲＯＭ５３は、紙幣鑑別装置１０、移送装置２４又は紙葉類収納庫であるスタッカ装置２５内のいずれかに設けることができる。図示しないが、判定制御回路５０内には設定カードから読み出した設定情報を解析する解析プログラムと、設定記憶手段に記憶された設定情報に従って判定制御回路を作動する実行プログラムとがインストールされている。
【００１５】
この発明による紙幣鑑別装置１０の動作を図５に示すフローチャートに従って説明する。
【００１６】
ステップ１００のスタートからステップ１０１に進み、紙幣鑑別装置１０の図示しない電源スイッチがオンに切り替わると、ステップ１０２にて判定制御回路５０の制御プログラムが初期化される。次に、ステップ１０３では、判定制御回路５０は、紙幣又はカード等の紙葉類が入口１３に挿入されたか否か判断する。紙葉類が入口１３に挿入されると、入口センサ４０は、紙幣の挿入を検出し（ステップ１０４）、入口センサ４０の検出信号に基づいて判定制御回路５０は、搬送モータ３８を駆動するため、搬送モータ３８が正転され（ステップ１０５）、紙葉類は、搬送通路１２に沿って内側へ搬送される。次に、ステップ１０６にて、紙葉センサ１６の光学センサ４１及び磁気センサ４２は、紙葉類から光学的特徴又は磁気的特徴のサンプリング処理を行い、挿入された紙葉類の光学的特徴及び磁気的特徴を電気信号に変換して、判定制御回路５０に送出する。
【００１７】
ステップ１０７において、ステップ１０６におけるサンプリング処理の結果から、判定制御回路５０は、まず挿入された紙葉類が認承カードであるかどうか判断する。認承カードであった場合、ステップ１０８でカード種別を認識し、判定制御回路５０は、識別モードから設定モードに切換えられる（ステップ１０９）。設定モードとは、該当の設定カードの設定情報を読み取り可能なモードを意味し、紙葉類を挿入しその真偽を判定するモードを識別モードという。設定モードの間、入口１３付近に設けられた発光ダイオード５４が点灯する。認承カードにより判定制御回路５０が設定モードに切換えられると、判定制御回路５０は、搬送モータ３８を逆転して、認承カードを入口１３に返却する（ステップ１１０、１１１）。ステップ１１２では、光学センサ４１は、認承カードの後端部が通過したことを認知し、所定時間経過後（ステップ１１３）、入口１３への返却が終了した時点で搬送モータを停止する（ステップ１１４）。
【００１８】
その後、ステップ１０３に戻り、判定制御回路５０は、紙葉類が挿入されるかどうか監視する状態となる。正規な手順では、ここで、該当の設定カードが挿入される。ステップ１０３から１０６は、前述の通り進み、挿入された紙葉類が認承カードでなければ、ステップ１０７からステップ１１５に進む。ここで、判定制御回路５０は、実際に挿入された紙葉が設定カードかどうか判定し、設定カードならステップ１１６に進む。認承カードが既に通されたか否か、即ち、判定制御回路５０が設定モードにあるか否かを判定する。設定モードでない場合、ステップ１１０に進み、設定カードは、入口１３に返却される。ステップ１１６にて設定モードであった場合、ステップ１１７に進み、設定カードに記載された設定情報が紙葉センサ１６により設定内容として読み込まれ、解析プログラムにより解析され、Ｅ２ＰＲＯＭ５３に格納される。
【００１９】
例えば、認承カードは、紙幣の受取条件の設定を認承することができ、設定カードは、１万円札、５千円札、千円札等の受取紙幣の金種設定、表裏での４方向、表面２方向、裏面２方向等の紙幣受取方向の設定又は紙幣のセキュリティレベルの設定、金種を特定するパルス数の設定を内容とする。
【００２０】
次に、ステップ１１８で、判定制御回路５０は、設定モードから判別モードに切換えられ、ステップ１１０へ進み、設定カードは、入口１３に返却され、設定プロセスは終了する。その後、紙幣鑑別を行う場合には、Ｅ２ＰＲＯＭ５３に記憶された設定情報に従い、実行プログラムにより判定制御回路５０が作動される。
【００２１】
ステップ１１５において、挿入された紙葉が設定カードでない場合、ステップ１１９に進み、判定制御回路５０が識別モードの状態であるかどうか判定する。従って、認承カードを挿入し設定モードに切換えられた時に、紙幣の識別は行われず、紙幣も入口１３に返却される。ステップ１２０では、判定制御回路５０は、投入された紙幣が真正な紙幣か否か判断する。投入された紙幣が真正な紙幣のとき、ステップ１２１においてゲーム機に受取信号を発信する。また、ステップ１２２において移送モータ３４を正転して、紙幣を出口１４に搬送すると共に、ステップ１２３においてスタッカを作動させた後、ステップ１２４にて搬送モータ３８、移送モータ３４及びスタッカの作動を停止して、ステップ１０３に戻る。
【００２２】
ステップ１２０において紙幣を真正と判断できないとき、ステップ１１０へ進み、判定制御回路５０は、搬送モータ３８を逆転して、紙幣を入口１３に返却した後、搬送モータ３８を停止してステップ１０３に戻る。
【００２３】
この発明の実施の形態は変更が可能である。例えば、ステップ１１７によって、設定カードによって設定できる設定内容は、紙幣鑑別機における紙葉の受取条件、紙葉センサの調整条件、紙幣鑑別機を搭載する主装置となるゲーム機又は自動販売機等の機械番号、識別番号の設定を含む。設定カードに機械番号を含む前記の条件を記録して、Ｅ２ＰＲＯＭ５３内に登録の設定を行う。各認承カードは、設定モードにモード変更し対応の設定カードによる設定を認承する同一の役割を果たす。認承カードは、メンテナンスモードの設定を認承するものでもよく、設定カードによりエラーログ又は受取率の表示を行う。設定カードは、マークシート方式以外に、例えば、白色紙に対する光反射量若しくは光透過量を検出して光学センサのレベル自動調整を行う。また、磁気ラベルを貼着したカードによって磁気レベルを検出して磁気センサの調整を行う。
【００２４】
また、判定制御回路５０に接続されたＥ２ＰＲＯＭ５３は、紙幣鑑別装置１０以外に移送装置２４又はスタッカ装置（カセットボックス）２５に設けることができる。この場合に、コネクタを有するハーネス又はホトカプラを有する非接触型（無接点型）電送装置を使用して、Ｅ２ＰＲＯＭ５３を判定制御回路５０に接続することができる。例えば、紙幣鑑別機１０を搭載するゲーム機又は自動販売機等の機械番号、識別番号を設定カードにより設定し、紙幣鑑別装置１０の判定制御回路５０を介して設定データをスタッカ装置２５に設けたＥ２ＰＲＯＭ５３に記憶させると、紙幣収納庫がどのゲーム機又は自動販売機から回収されたかを特定することが可能となる。
【００２５】
前記の例では、紙幣鑑別法及び紙幣鑑別装置について説明したが、紙幣以外のクーポン、ディスクリプト、有価証券等他の紙葉にもこの発明を適用することができる。本実施の形態に記載した紙葉類識別装置をゲーム機以外の自動販売機、現金払出機、両替機等にも適用することができる。
【００２６】
【発明の効果】
前記のように、この発明では、予め準備した認承カード及び設定カードを入口に挿入するのみで紙葉類識別装置内の設定記憶手段に設定情報を容易に書き込むことができ、設定情報を紙葉類識別装置に短時間で搭載することができるため、作業能率を向上することができる。また、設定を変更する際に紙葉類識別装置の扉を開ける必要がなく、防犯上便利である。
【図面の簡単な説明】
【図１】  紙幣鑑別装置に適用したこの発明による紙葉類識別装置の断面図
【図２】  認承カードの平面図
【図３】  設定カードの平面図
【図４】  この発明による紙葉類識別装置の電気回路を示すブロック図
【図５】  判定制御回路の動作シーケンスを示すフローチャート
【符号の説明】
１０・・紙葉類識別装置、  １２・・搬送通路、  １３・・入口、  １４・・出口、  １５・・搬送装置、  １６・・紙葉センサ、  ２０・・識別ユニット、  ２１，２２・・プーリ、  ２３・・ベルト、  ２４・・移送装置、  ２５・・スタッカ装置、２６・・搬送通路、  ３８・・搬送モータ、  ４０・・入口センサ、  ４１・・光学センサ、  ４２・・磁気センサ、４５・・出口センサ、  ４７・・ベルト、  ５０・・判定制御回路、  ５２・・ＲＯＭ（識別データ記憶手段）、  ５３・・Ｅ２ＰＲＯＭ（設定記憶手段）、  ５４・・発光ダイオード（警報器）、
【図１】
0003956256.tif 000002
【図２】
0003956256.tif 000003
【図３】
0003956256.tif 000004
【図４】
0003956256.tif 000005
【図５】
0003956256.tif 000006